(57)【要約】      （修正有）【課題】製作が簡単で且つ設置が容易で、台風の襲来等でも一時的な避難の必要がない水中展張膜を提供する。【解決手段】一枚、または複数のネット体１を重ね合わせ、その上縁部２と下縁部３を固定して構成されたネット膜Ｎにフロート６を設けてなる、水中展張ネット膜装置。【選択図】図２
2015137481.tif 000002
【特許請求の範囲】
【請求項１】
一枚、または複数枚のネット体を重ね合わせ、その上縁部と下縁部を固定して構成されたネット膜にフロートを設けたことを特徴とする水中展張ネット膜装置。
【発明の詳細な説明】
【技術分野】
【０００１】
本発明は、港湾、河川等における汚濁水、漏出したオイル等の拡散防止や港湾、河川、ダム等において水面に漂流している漂流物を捕捉するため等の多目的用途に使用し得る水中展張ネット膜装置に関する。
【背景技術】
【０００２】
従来、汚濁拡散防止装置としては布製のシート製のシート膜を使用したり、ネット膜を使用したりしていた（特許文献１）。しかしながら、従来の汚濁拡散防止装置は、そのほとんどが固定式であり、そのため装置自体が波浪等によっても破損しないように強固に作られていた。前記ネット膜を用いたものは、ネット膜の形状も短冊形のものであり、その大きさも幅０．６〜１０ｍ、長さ1〜５ｍ程度ものであり、さらにこれらの隣接するネット膜間に間隙を設けて設置されるものである。
【先行技術文献】
【特許文献】
【０００３】
特許文献１  特開昭６０−１１９８０７号公報
【発明の概要】
【発明が解決しようとする課題】
【０００４】
従来の汚濁拡散防止装置は、例えば台風の襲来等により一時的に避難させようと思っても装置自体重厚に製作されているので船等で牽引して移動させることは不可能であった。
そこで本発明者は、これらの欠点を解消するため種々研究を重ねた結果、本発明の水中展張ネット膜装置を完成するに至った。
【課題を解決するための手段】
【０００５】
すなわち、本発明は１枚、または複数のネットを重ね合わせ、その上縁部と下縁部を固定し構成されたネット膜にフロートを設けたことを特徴とする水中展張ネット膜装置に関する。
【発明の効果】
【０００６】
本発明の水中展張ネット膜装置は、構造的に複雑でないので安価に製作できるうえ、水中展張ネット膜装置自体が軽量であることから、設置に際し、例えば漁船等の小型船でも容易に曳航することができ、アンカーワイヤーとの接続が簡単に行える為、設置撤去が容易である。加えてアンカー係留ピッチが大きく取れるので、アンカー数を少なくすることができる。さらに、ネット膜の下縁部からアンカー係留し、構造的にシンプルで、表層部の流速・波高・風速等から生ずる流体抵抗の大きな部分は強制係留されないので、ネット膜に係る流体抵抗が少ない為、台風の襲来等により一時的に避難する必要がなく、大水深でも容易に設置することができる。
また本発明の水中展張ネット膜装置は、汚濁物質の拡散防止、漏出したオイルの拡散防止、港湾、河川、ダム等における漂流物の捕捉等多目的の用途に好適に使用することができる。
【図面の簡単な説明】
【０００７】
【図１】ネット膜の正面図
【図２】本発明の水中展張ネット膜装置の正面図
【図３】水中展張ネット膜装置を水中に展張設置したときの状態図
【図４】他の態様を示す水中展張ネット膜装置を水中に展張設置したときの状態図
【発明を実施するための形態】
【０００８】
本発明の水中展張ネット膜装置は、図１に示すように同一形状のネット体１の一枚または同一形状のネット体１を複数枚重ね合わせ、上縁部２をロープ等でネット体１の縁部の網目に通し、かがるようにした場合複数枚のネット体の上縁部２を固定する（図示せず）。一方複数のネット体１の下縁部３についても上縁部２と同様にしてロープ等で複数枚のネット体１の下縁部３を固定する。
また所望により、ネット体１の両側縁部４，５を上縁部２等と同様に固定することもできる。
【０００９】
ネット膜に使用するネット体１の網目の大きさは、使用するネット体のすべてを同一の網目の大きさのものを使用してもよいが、異なる網目の大きさのものを適宜組合わせて使用することができる。
またネット膜を調製時に複数のネット体１を用いる場合、ネット体の間に例えば直径１２ｍｍ程度のロープで構成されたネット体１を挟着すると、ネット膜に芯が入ったような状態になり、例えば流速が早くなってもネット膜が吹き上がることを防止することができる。
【００１０】
前記したように１枚、または複数枚ネット体を重ね合わせて構成されたネット膜Ｎには、図２に示すようにその上縁部２にフロート６を設ける。このフロート６はネット膜の上縁部２が水面に位置するように設けられるように適宜の数をもうければよい。このフロート６は、ネット膜自体の重量が従来のシート膜に比べて非常に軽量なので例えばガラス玉フロートでも充分に使用することができる。もちろん他のフロートも好適に使用できることは言うまでもない。
【００１１】
また本発明の水中展張ネット膜装置のネット膜Ｎを常に垂下状態に保持するためにネット膜Ｎの下縁部に重錘７を設ける。この重錘７は下縁部全体に設けても良いが、適宜の間隔を置いて設けてもよい。
【００１２】
また他の態様として図４に示すように、１スパンＰのネット膜Ｎの形態は、ネット膜下縁部が湾曲状を呈してもよい。このネット膜下縁部の湾曲形状は、アーチ橋（上向き弧を用いた橋）のアーチリブ形状および吊り橋のメインケーブル形状と同じである。そしてネット膜Ｎの両端部の下縁部にアンカーワイヤー９を設け、該アンカーワイヤー９の他端を水底に設けたアンカー８に固定することにより設置することができる。本発明においてネット膜Ｎとアンカーワイヤー９との接続部は着脱か容易な連結具によって連結することが好ましい。
また本発明においてはネット膜Ｎの形状を保持するために図４に示すように形状保持ステー１０を設けることが好ましい。形状保持ステー１０としては平ロープ、金属枠コンベアベルト等が揚げられる。
【００１３】
本発明の水中展張ネット膜装置に用いるネット体１の網目の形状も三角形、四角形、六角型等種々の形状のものが使用できる。ネット体１の網目の大きさも使用目的によって異なり、特に限定されるものではないが、漂流物の捕捉を目的とする場合は１〜２０ｃｍ２特に５〜１５ｃｍ２の大きさの網目が好ましい。
【００１４】
ネット体１を複数枚用いる場合ネット体１の重ね合わせる枚数も使用目的によって適宜選択すれば良いか、水面漂流物を捕捉するような場合であればネット体１の網目の大きさにもよるが、一般的には２〜４枚重ね合わせることが好ましい。また、微粒子の汚濁物質やオイル等の拡散を防止するためには、やはり網目の大きさにもよるが一般的には２〜１０枚、好ましくは２〜４枚重ね合わせると良い。
【００１５】
本発明の水中展張ネット膜装置を使用する方法としては、汚染発生源を囲繞するように展張したり、あるいは河川等の場合は河川の幅いっぱいに流れを遮断するような状態に展張することができる。
また展張方法も単列の外、水中展張ネット膜装置間に間隙を設けて複数列装置することができる。
【００１６】
本発明の水中展張ネット膜装置を設置する方法としては、図３に示すように、水底のアンカー８にアンカーワイヤー９の一端を固定し、他端はネット膜１の上縁部に固定する。アンカーワイヤー９の上端部近傍にはネット膜と分離したときにアンカーワイヤー９が水底に沈まないようにフロート１０が設けられている。このアンカーワイヤー９の取付間隔は、使用する場所の水流等の条件により適宜選択すればよい。
【００１７】
本発明の水中展張ネット膜装置を他の態様で設置する方法としては、図４に示すように、水底のアンカー８にアンカーワイヤー９の一端を固定し、他端はネット膜１の下縁部に固定する。アンカーワイヤー９の上端部近傍にはネット膜と分離したときにアンカーワイヤー９が水底に沈まないようにまた、例えばアンカーワイヤー９に比重が１より小さい繊維ロープを用いることで、ネット膜と分離したときにアンカーワイヤー９が水底に沈まないようすることができ、繊維ロープの材質は使用する場所の水流等の条件により適宜選択すればよい。また、アンカーワイヤー９をネット膜Ｎの下縁部に係留した場合は、ネット膜Ｎの吹き上げ防止を行うためにネット膜の中間部および下縁部に適宜の数のフロートを設けることが好ましい。
【符号の説明】
【００１８】
１・・・・・ネット体
６・・・・・フロート
７・・・・・重錘
Ｎ・・・・・ネット膜
【図１】
2015137481.tif 000003
【図２】
2015137481.tif 000004
【図３】
2015137481.tif 000005
【図４】
2015137481.tif 000006